(57)【要約】【課題】送信先の電話番号が操作部の操作を介して入力された場合には、ファクシミリデータの送信を制限しつつも、必要と認められる送信先に対してはファクシミリデータの送信を可能とするファクシミリ装置を提供する。【解決手段】操作部３４の数字キーを介して送信先の電話番号が入力された場合（Ｓ１）、その送信先の電話番号が管理者のＰＣ３に送信通知され、送信先の電話番号に基づくファクシミリデータの送信が許可された場合（Ｓ１４：ＹＥＳ）、数字キーを介して入力された電話番号により特定される送信先に対してファクシミリデータが送信されるように構成する。【選択図】図４
2008091983.tif 000002
【特許請求の範囲】
【請求項１】
記憶手段に記憶された送信先の電話番号を読み出す電話番号読出手段と、操作部の操作により送信先の電話番号を入力する電話番号入力手段と、電話番号読出手段を介して読み出された送信先の電話番号又は電話番号入力手段を介して入力された送信先の電話番号に基づいてファクシミリデータを送信先に送信するデータ送信手段とを備えたファクシミリ装置であって、
前記送信先の電話番号が、前記電話番号読出手段を介して読み出された電話番号であるか又は電話番号入力手段を介して入力された電話番号であるかを判断する第１判断手段と、
前記第１判断手段を介して、前記送信先の電話番号が電話番号入力手段を介して入力された電話番号であると判断された場合、その送信先の電話番号を所定の管理者に通知する通知手段と、
前記通知手段を介して送信先の電話番号を通知された前記管理者が、その送信先の電話番号に基づくファクシミリデータの送信を許可したかどうかを判断する第２判断手段と、
前記第２判断手段を介して、前記送信先の電話番号に基づくファクシミリデータの送信が許可されたと判断された場合、前記電話番号入力手段を介して入力された電話番号に基づきデータ送信手段を介してファクシミリデータを送信する送信制御手段とを備えたことを特徴とするファクシミリ装置。
【請求項２】
前記第２判断手段を介して、前記送信先の電話番号に基づくファクシミリデータの送信が許可されたと判断された場合、前記電話番号入力手段を介して入力された電話番号を前記記憶手段に記憶する記憶制御手段を備えたことを特徴とする請求項１に記載のファクシミリ装置。
【発明の詳細な説明】
【技術分野】
【０００１】
本発明は、記憶手段から読み出された送信先の電話番号又は電話番号入力手段を介して入力された送信先の電話番号に基づいてファクシミリデータを送信先に送信するファクシミリ装置に関する。
【背景技術】
【０００２】
従来より、あらかじめ宛先電話番号を登録して通信開始時に選択して指定できるアドレス帳の機能と、送信の度にその場で電話番号を入力するための機能の２通りの宛先指定手段を有する通信装置において、送信時にその場で入力した電話番号がアドレス帳の登録情報内に存在しなかった場合には、送信動作を行わないモードを備えたファクシミリ装置が提案されている（特許文献１参照）。
【特許文献１】特開２００５−２１９８７９号公報
【発明の開示】
【発明が解決しようとする課題】
【０００３】
しかしながら、特許文献１に記載されたファクシミリ装置では、送信時にその場で入力された電話番号がアドレス帳の登録情報内に存在しない場合には送信動作が行われないことから、ファクシミリデータが不用意に送信されてしまうことを防止することができるものではあるが、送信時にその場で入力した電話番号がアドレス帳の登録情報内に存在しなかった場合には、一律にファクシミリデータの送信が行われることはない。
【０００４】
このように、特許文献１に記載されたファクシミリ装置では、電話番号がアドレス帳に存在しない場合には本来送信されるべきファクシミリデータであっても送信することができないものであり、緊急等の場合において不都合が生じてしまう問題がある。
【０００５】
本発明は前記従来技術の問題点を解消するためになされたものであり、送信先の電話番号が操作部の操作を介して入力された場合には、ファクシミリデータの送信を制限しつつも、必要と認められる送信先に対してはファクシミリデータの送信を可能とするファクシミリ装置を提供することを目的とする。
【課題を解決するための手段】
【０００６】
前記目的を達成するため請求項１に係るファクシミリ装置は、記憶手段に記憶された送信先の電話番号を読み出す電話番号読出手段と、操作部の操作により送信先の電話番号を入力する電話番号入力手段と、電話番号読出手段を介して読み出された送信先の電話番号又は電話番号入力手段を介して入力された送信先の電話番号に基づいてファクシミリデータを送信先に送信するデータ送信手段とを備えたファクシミリ装置であって、前記送信先の電話番号が、前記電話番号読出手段を介して読み出された電話番号であるか又は電話番号入力手段を介して入力された電話番号であるかを判断する第１判断手段と、前記第１判断手段を介して、前記送信先の電話番号が電話番号入力手段を介して入力された電話番号であると判断された場合、その送信先の電話番号を所定の管理者に通知する通知手段と、前記通知手段を介して送信先の電話番号を通知された前記管理者が、その送信先の電話番号に基づくファクシミリデータの送信を許可したかどうかを判断する第２判断手段と、前記第２判断手段を介して、前記送信先の電話番号に基づくファクシミリデータの送信が許可されたと判断された場合、前記電話番号入力手段を介して入力された電話番号に基づきデータ送信手段を介してファクシミリデータを送信する送信制御手段とを備えたことを特徴とする。
【０００７】
また、請求項２に係るファクシミリ装置は、請求項１のファクシミリ装置において、前記第２判断手段を介して、前記送信先の電話番号に基づくファクシミリデータの送信が許可されたと判断された場合、前記電話番号入力手段を介して入力された電話番号を前記記憶手段に記憶する記憶制御手段を備えたことを特徴とする。
【発明の効果】
【０００８】
前記請求項１のファクシミリ装置では、第１判断手段を介して送信先の電話番号が、電話番号読出手段を介して読み出された電話番号であるか又は電話番号入力手段を介して入力された電話番号であるかを判断するとともに、第１判断手段を介して送信先の電話番号が電話番号入力手段を介して入力された電話番号であると判断された場合、その送信先の電話番号を通知手段により所定の管理者に通知し、第２判断手段を介して送信先の電話番号に基づくファクシミリデータの送信が許可されたと判断された場合、送信制御手段による制御下電話番号入力手段を介して入力された電話番号に基づきデータ送信手段を介してファクシミリデータを送信するように構成されているので、送信先の電話番号が電話番号読出手段により記憶手段から読み出された電話番号でなく、電話番号入力手段により入力された電話番号である場合においても、管理者からの送信許可が得られた送信先に対しては例外的にファクシミリデータを送信することができる。
これにより、送信先の電話番号が操作部の操作を介して入力された場合には、ファクシミリデータの送信を制限しつつも、緊急等の場合に必要と認められる送信先に対してはファクシミリデータの送信を行うことができる。
【０００９】
また、前記請求項２に係るファクシミリ装置では、第２判断手段を介して、送信先の電話番号に基づくファクシミリデータの送信が許可されたと判断された場合、電話番号入力手段により入力された電話番号を記憶制御手段を介して記憶手段に記憶するように構成されているので、一旦管理者の送信許可を得られた送信先については、以後電話番号読出手段により記憶手段から送信先の電話番号を読み出せばよく、何ら制約を受けることなくその送信先にファクシミリデータを送信することができる。
【発明を実施するための最良の形態】
【００１０】
以下、本発明に係るファクシミリ装置について、本発明を具体化した実施形態に基づき図面を参照しつつ詳細に説明する。先ず、本実施形態に係るファクシミリ装置の概略構成について図１に基づき説明する。図１はファクシミリ装置のブロック図である。
図１に示すように、ファクシミリ装置１を含む通信システムは、ファクシミリ装置１とデータ通信可能に接続されたサーバ２やパーソナルコンピュータ（以下、ＰＣと略記する）３とから構成されている。
【００１１】
図１において、ファクシミリ装置１は、この電話回線網１００を介してファクシミリ通信を実現するファクシミリ機能、電話回線網１００を介して音声通話を実現する音声通話機能、プリンタ機能、コピー機能、スキャナ機能、メール送信機能などの各種の機能を１台に備えている。また、ファクシミリ装置１は、受信したファクシミリデータをＬＡＮ２００を介してＰＣ３に転送する機能を備えている。
【００１２】
また、ファクシミリ装置１は、ファクシミリ装置１全体の動作を制御するＣＰＵ１２と、そのＣＰＵ１２により実行される各種の制御プログラムや固定値データを記憶するＲＯＭ１４と、ＣＰＵ１２により実行される各種処理に必要なデータやプログラム等を一時的に記憶するためのメモリであるＲＡＭ１６と、各種設定を記憶し書き換え可能で不揮発性のフラッシュメモリ１８と、スキャナ部２２と、プリンタ部２４と、モデム２６と、回線制御部２８と、ファクシミリ装置１の本体部から取り外し可能であり、音声通話機能において送話及び受話するために使用される送受話器３２と、ファクシミリ装置１で各種機能を実行させるための複数の操作入力キー（ボタンやスイッチなど）から構成される操作部３４と、ファクシミリ装置１における各種情報を表示する液晶ディスプレイ（以下、「ＬＣＤ（Liquid Crystal Display）」と称する）であるＬＣＤ３６と、スピーカ及びそのスピーカを駆動する駆動回路から構成されるスピーカ部３８と、サーバ２やＰＣ３とを接続するＬＡＮ（Local Area Network）２００に接続するためのＬＡＮインターフェース（ＬＡＮ Ｉ／Ｆ）４０とを備えている。
【００１３】
このうち、ＣＰＵ１２と、ＲＯＭ１４と、ＲＡＭ１６と、フラッシュメモリ１８と、スキャナ部２２と、プリンタ部２４と、モデム２６と、回線制御部２８と、操作部３４と、ＬＣＤ３６と、スピーカ部３８と、ＬＡＮ Ｉ／Ｆ４０とは、バスライン４６を介して互いに接続されている。なお、回線制御部２８と、モデム２６又は送受話器３２とは、伝送経路によって接続されている。
【００１４】
ここで、スキャナ部２２は、ＣＰＵ１２からの指示に基づいて、所定の読取位置（非図示）にセットされた原稿から画像の読み取りを行うと共に、この画像のイメージデータを生成するものである。このスキャナ部２２により読み取られたイメージデータは、ファクシミリ装置１が、ファクシミリ装置１におけるファクシミリ機能を機能させるファクシミリモードに設定されている場合には、そのイメージデータが、モデム２６、回線制御部２８及び電話回線網１００を介して、電話番号等により指定された相手側ファクシミリ装置へ送信される。あるいは、ＬＡＮ Ｉ／Ｆ４０を介してメール機能を利用したインターネットファクシミリにてイメージデータが送信される。
【００１５】
また、ファクシミリ装置１が、ファクシミリ装置１におけるコピー機能を実現させるコピーモードに設定されている場合には、このスキャナ部２２によって生成されたイメージデータは、プリンタ部２４により記録紙に印刷される。さらに、ファクシミリ装置１が、ファクシミリ装置１におけるスキャナ機能を実現させるスキャナモードに設定されている場合には、このスキャナ部２２によって生成されたイメージデータは、ＲＡＭ１６における所定の記憶領域に格納される。
【００１６】
プリンタ部２４は、ＣＰＵ１２からの指示に基づいて、所定の給紙位置（非図示）にセットされた記録紙への印刷を行うためのインクジェット方式のプリンタで構成され、記録紙を搬送する記録紙搬送用モータ（非図示）と、記録紙へインクを吐出する印字ヘッド（非図示）と、その印字ヘッドを搭載したキャリッジ（非図示）を移動させるキャリッジモータ（非図示）とを備えている。
【００１７】
ファクシミリ装置１がファクシミリモードに設定され、且つ、電話回線網１００、回線制御部２８及びモデム２６を介して相手側ファクシミリ装置から受信したファクシミリデータを印字するように設定されている場合には、受信したファクシミリデータに基づいて生成されたイメージデータは、このプリンタ部２４によって記録紙に印刷される。
【００１８】
また、ファクシミリ装置１がコピーモードに設定されている場合には、スキャナ部２２によって生成されたイメージデータは、このプリンタ部２４により記録紙に印刷される。
【００１９】
モデム２６は、ＣＰＵ１２からの指示に基づいて、スキャナ部２２で生成されたイメージデータを変調して、回線制御部２８を介して電話回線網１００に伝送可能な画像信号を生成したり、電話回線１００から回線制御部２８を介して入力された画像信号をイメージデータに復調するものである。
【００２０】
回線制御部２８は、電話回線網１００からの各種信号の入力と、電話回線網１００への信号の出力を行うと共に、ＣＰＵ１２からの指示に基づいて、電話回線網１００との間で入出力する信号の伝送先及び伝送元となる伝送経路を設定する。この「伝送経路」としては、操作部３４により画像を送信する（ファクシミリデータを送信する）ための操作が行われる際、又は、電話回線網１００から画像信号を受信した（ファクシミリデータを受信した）際に、モデム２６へ向かう経路が設定される。そして、この経路を画像信号が伝達可能な状態となる。一方で、この設定された伝送経路は、モデム２６による画像信号の出力が終了した際、又は、電話回線１００からの画像信号の入力が終了した際に解除され、この経路を画像信号が伝送されない状態となる。
【００２１】
また、送受話器３２をファクシミリ装置１の本体部から取り外す操作（オフフック操作）が行われた際に、回線制御部２８から送受話器３２へ向かう経路が上述した伝送経路として設定され、この経路を音声信号が伝送可能な状態となる。こうして設定された伝送経路は、送受話器３２をファクシミリ装置１の本体部に戻す操作（オンフック操作）が行われた際に解除され、この経路を音声信号が伝送されない状態となる。
【００２２】
ＲＯＭ１４には、後述するファクシミリ装置１の制御プログラム（図３、図４参照）、各種固定値やデータテーブル等の恒久的データが記憶されている。また、ＲＡＭ１６には、ＣＰＵ１２により実行される各種処理に必要なデータやプログラム等が一時的に記憶される。かかるＲＡＭ１６には、前記のように生成されるイメージデータが展開記憶されるイメージメモリ１６ａが設けられている。更に、フラッシュメモリ１８は、各種設定を記憶し書き換え可能な不揮発性のメモリであり、フラッシュメモリ１８には、ファクシミリ送信先とその電話番号とが相互に対応して記憶されているアドレスブック１８ａが登録されている。
【００２３】
ここに、図２に示すシステム構成図のように、複数のファクシミリ装置１をＬＡＮ２００を介してＰＣ３に接続して使用される。尚、ＰＣ３は、複数のファクシミリ装置１を管理している管理者のＰＣである。
【００２４】
続いて、前記図１及び図２に示すように構成されたファクシミリ装置１の動作について図３及び図４に基づき説明する。図３及び図４はファクシミリ装置１の制御プログラムのフローチャートである。
【００２５】
先ず、図３において、ステップ（以下、Ｓと略記する）１にて操作部３４に設けられた操作キーを介して電話番号が入力されるまで待機する。操作キーを介して電話番号が入力された後、その電話番号が数字キーを介して入力されたものであるかどうか判断する（Ｓ１Ａ）。Ｓ１Ａで、入力された電話番号が数字キーを介して入力されたものでないと判断した場合（Ｓ１Ａ：ＮＯ）、すなわち、アドレスブック１８ａから読み出された電話番号である場合、Ｓ４へ移行して読み出された電話番号に従い、ファクシミリ送信する。これに対して、Ｓ１Ａで入力された電話番号が数字キーを介して入力されたものであると判断した場合（Ｓ１Ａ：ＹＥＳ）、Ｓ２へ移行する。Ｓ２において、その入力された電話番号がフラッシュメモリ１８のアドレスブック１８ａに登録されているかどうか判断される。
【００２６】
入力された電話番号がアドレスブック１８ａに登録されている場合（Ｓ２：ＹＥＳ）にはＳ４に移行し、Ｓ４において、入力された電話番号で特定される送信先にファクシミリデータが送信される。この後、Ｓ５にて、ファクシミリ通信が行われたことを、フラッシュメモリ１８に設けられた通信管理部に通信情報として残す。この後、制御プログラムを終了する。
【００２７】
一方、前記Ｓ２において、Ｓ１で入力された電話番号がアドレスブック１８ａに登録されていないと判断された場合（Ｓ２：ＮＯ）には、更にＳ３でファクシミリ装置１のセキュリティ機能が有効になっているかどうか判断される。ファクシミリ装置１のセキュリティ機能が有効になっていない場合（Ｓ３：ＮＯ）には、前記Ｓ４、Ｓ５の処理を行った後、制御プログラムを終了する。
【００２８】
ファクシミリ装置１のセキュリティ機能が有効になっていると判断された場合（Ｓ３：ＹＥＳ）には、Ｓ６に移行する。Ｓ６では、管理者のＰＣ３の電話番号又はメール番号を取得する。続くＳ７では、管理者のＰＣ３の電話番号又はメール番号が取得されたかどうか判断され、いずれの番号も取得されていない場合（Ｓ７：ＮＯ）には、前記Ｓ４、Ｓ５の処理を行った後、制御プログラムを終了する。
【００２９】
これに対して、管理者のＰＣ３の電話番号又はメール番号が取得されたと判断された場合（Ｓ７：ＹＥＳ）には、Ｓ８に移行する。Ｓ８においては、ＬＣＤ３６に表示されるメッセージがあるかどうか判断される。ここに、ＬＣＤ３６に表示されるメッセージは、各ファクシミリ装置１毎に、複数種類のメッセージから予め選択してフラッシュメモリ１８に登録しておくことが可能であり、Ｓ８の処理は、そのように登録されているメッセージがフラッシュメモリ１８に存在しているかどうかを判断する処理である。尚、この場合において、ＬＣＤ３６に表示されるメッセージとしては、例えば、「管理者に通知しますがよろしいですか？」のようなメッセージが考えられる。
【００３０】
Ｓ８において、ＬＣＤ３６に表示されるメッセージがあると判断された場合（Ｓ８：ＹＥＳ）には、Ｓ９にてフラッシュメモリ１８からＬＣＤ３６に表示されるメッセージが取得される。この後、Ｓ１０では、Ｓ９で取得されたメッセージがＬＣＤ３６に表示される。この後Ｓ１１に移行する。
これに対して、Ｓ８において、ＬＣＤ３６に表示されるメッセージが存在しないと判断された場合（Ｓ８：ＮＯ）には、直ちにＳ１１に移行する。
【００３１】
Ｓ１１においては、数字キーを介して入力され、アドレスブック１８ａに登録されていない電話番号で特定される送信先に対して、ファクシミリデータの送信要請がある旨を付加情報と共に、管理者のＰＣ３に送信する。
ここに、管理者のＰＣ３に送信される付加情報としては、管理者が送信先を確認するために必要な送信先の電話番号又はメール番号、管理者がいずれのファクシミリ装置１からファクシミリデータの送信を行うかを確認するために必要なファクシミリ装置１のＩＤ、及び、管理者が何時ファクシミリデータが送信されるのかを確認するために必要な時刻情報等の情報がある。
管理者は、ＰＣ３に表示される前記各種付加情報に基づき、アドレスブック１８ａに登録されていない電話番号で特定される送信先に対してファクシミリデータを送信してよいかどうかを判断することとなる。
【００３２】
この後、図４に示すフローチャートにおけるＳ１２にて、管理者は、前記Ｓ１１にてＰＣ３に表示された各種情報、通信データ等をチェックし、ファクシミリデータの送信を許可するか又は禁止するかを判断し、その判断結果をＰＣ３を介して入力して送信要請があったファクシミリ装置１に通知する。ここに、ＰＣ３からの通知方法としては、ＬＡＮ２００を使用する特殊コマンドで行われる。
【００３３】
続くＳ１３においては、ＰＣ３から管理者により入力された送信許可又は送信禁止に関する情報が取得される。更にＳ１４において、Ｓ１３で取得された情報に基づき、送信が許可されたかどうか判断される。そして、送信が許可されていないと判断された場合（Ｓ１４：ＮＯ）には、Ｓ１５にて送信要請に係るファクシミリデータが削除された後、Ｓ１６にてファクシミリデータが削除されたことを、フラッシュメモリ１８に設けられた通信管理部に通信情報として残す。この後、制御プログラムを終了する。
【００３４】
これに対して、前記Ｓ１４にて、送信が許可されたと判断された場合（Ｓ１４：ＹＥＳ）には、Ｓ１７に移行し、Ｓ１７にてアドレスブック１８ａにおける登録情報が取得される。かかるＳ１７の処理は、アドレスブック１８ａにおいて電話番号を登録する記憶領域が空いているかどうかを判断するために必要な処理である。
【００３５】
続くＳ１８において、前記Ｓ１７において取得されたアドレスブック１８ａの登録情報に基づき、電話番号を登録可能かどうか判断される。電話番号が登録不可能と判断された場合（Ｓ１８：ＮＯ）には、Ｓ１９にて前記電話番号で特定される送信先にファクシミリデータが送信され、また、Ｓ２０にて、前記電話番号で特定される送信先にファクシミリデータが送信されたことを、フラッシュメモリ１８に設けられた通信管理部に通信情報として残す。この後、制御プログラムを終了する。
【００３６】
これに対して、前記Ｓ１８において、電話番号が登録可能と判断された場合（Ｓ１８：ＹＥＳ）には、Ｓ２１にてアドレスブック１８ａの内、いずれの種類アドレスブックに登録するか判断される。ここに、アドレスブック１８ａとしては、各種のアドレスブックが設けられており、ここでは、ワンタッチ入力用アドレスブックをアドレスブック１とし、また、短縮ダイアル用アドレスブックをアドレスブック２としている。尚、新たに電話番号を登録するについては、複数種類のアドレスブックからいずれのアドレスブックに登録するかが、予め設定登録されており、かかる設定登録内容は、フラッシュメモリ１８の所定領域に記憶されている。
【００３７】
前記Ｓ２１において、電話番号を登録するアドレスブック１８ａがアドレスブック１に設定されている場合には（Ｓ２１：アドレスブック１）、Ｓ２２にて電話番号を登録するための記憶領域が空いているかどうかにつきアドレスブック１の検索が行われ、Ｓ２４に移行する。一方、電話番号を登録するアドレスブック１８ａがアドレスブック２に設定されている場合には（Ｓ２１：アドレスブック２）、Ｓ２３てに電話番号を登録するための記憶領域が空いているかどうかにつきアドレスブック２の検索が行われた後、Ｓ２４に移行する。
【００３８】
Ｓ２４において、前記Ｓ２２又はＳ２３における検索結果に基づき、各アドレスブック１又は２にて電話番号の登録エリアが空いているかどうか判断される。登録エリアが空いていると判断された場合（Ｓ２４：ＹＥＳ）には、Ｓ２５においてアドレスブック１又は２に電話番号が登録された後、Ｓ２６に移行する。一方、登録エリアが空いていないと判断された場合（Ｓ２４：ＮＯ）には、直ちにＳ２６に移行する。
【００３９】
Ｓ２６において、前記にて登録された電話番号で特定される送信先に対してファクシミリデータが送信され、また、Ｓ２７にて、前記電話番号で特定される送信先にファクシミリデータが送信されたことを、フラッシュメモリ１８に設けられた通信管理部に通信情報として残す。この後、制御プログラムを終了する。
【００４０】
以上詳細に説明した通り本実施形態にかかるファクシミリ装置１では、操作部３４の数字キーを介して送信先の電話番号が入力された場合（Ｓ１）、その送信先の電話番号が管理者のＰＣ３に送信通知され、送信先の電話番号に基づくファクシミリデータの送信が許可された場合（Ｓ１４：ＹＥＳ）、数字キーを介して入力された電話番号により特定される送信先に対してファクシミリデータが送信されるので、送信先の電話番号がアドレスブック１８ａから読み出された電話番号でなく、操作部３４の数字キーにより入力された電話番号である場合においても、管理者からの送信許可が得られた送信先に対しては例外的にファクシミリデータを送信することができる。
これにより、送信先の電話番号が操作部３４の数字キーを介して入力された場合には、ファクシミリデータの送信を制限しつつも、緊急等の場合に必要と認められる送信先に対してはファクシミリデータの送信を行うことができる。
【００４１】
また、数字キーから入力された電話番号で特定される送信先に対してファクシミリデータの送信が許可された場合（Ｓ１４：ＹＥＳ）、かかる電話番号がアドレスブック１８ａに登録されるので、一旦管理者の送信許可を得られた送信先については、以後アドレスブック１８ａから送信先の電話番号を読み出せばよく、何ら制約を受けることなくその送信先にファクシミリデータを送信することができる。
【００４２】
尚、本発明は前記実施形態に限定されるものではなく、本発明の要旨を逸脱しない範囲内で種々の改良、変形が可能であることは勿論である。
【図面の簡単な説明】
【００４３】
【図１】ファクシミリ装置のブロック図である。
【図２】複数のファクシミリ装置とＰＣとをＬＡＮで接続したシステムの構成を模式的に示す説明図である。
【図３】ファクシミリ装置の制御プログラムのフローチャートである。
【図４】ファクシミリ装置の制御プログラムのフローチャートである。
【符号の説明】
【００４４】
１      ファクシミリ装置
３      ＰＣ
１２    ＣＰＵ
１４    ＲＯＭ
１６    ＲＡＭ
１８    フラッシュメモリ
１８ａ  アドレスブック
３４    操作部
１００  電話回線網
２００  ＬＡＮ
【図１】
2008091983.tif 000003
【図２】
2008091983.tif 000004
【図３】
2008091983.tif 000005
【図４】
2008091983.tif 000006